(57)【要約】【課題】樹脂製の軸部により回動可能に支持されている蓋部に、無理な押しつけ力や引っ張り力が作用した場合に、軸部の破損を防止できる電子機器を提供する。【解決手段】蓋側ヒンジ部３２は、一対の腕部３３と、腕部３３に連結され、腕部の長手方向に対して直交する第１軸部３４および第２軸部３５とを有する。筐体側ヒンジ部３１は、第１軸部３４を支持する第１支持部３６と、第２軸部３５を支持する第２支持部３７とを有する。第１支持部３６は、収容凹部２４の深さ方向に沿って筐体２０から第１軸部３６が離反しないように規制する第１規制面３８を有し、第２支持部３７は、第２軸部３５が収容凹部２４に対して近付く方向に移動しないように規制する第２規制面３９を有する。このため、蓋部材２６を無理に押し付けたり、無理に引っ張ったりした際に、別の規制面３８、３９が移動を規制するので、ヒンジ部３０が破損するのを防止できる。【選択図】図２
2012199102.tif 000002
【特許請求の範囲】
【請求項１】
筐体と、
前記筐体に設けられ、電池パックを収容する収容凹部と、
前記収容凹部を覆う蓋部材と、
前記筐体に対して前記蓋部材を回動させるためのヒンジ部と、を備え、
前記ヒンジ部が、前記筐体に設けられた筐体側ヒンジ部と、前記蓋部材に設けられた蓋側ヒンジ部とを有し、
前記蓋側ヒンジ部が、
前記蓋部材に設けられて前記筐体側ヒンジ部に向かって延びる一対の腕部と、
前記腕部に連結され、前記腕部の長手方向に対して直交するとともに、互いに近付く方向に突出する第１軸部および互いに離れる方向に突出する第２軸部とを有し、
前記筐体側ヒンジ部が、
前記第１軸部を支持する第１支持部と、
前記第２軸部を支持する第２支持部とを有し、
前記第１支持部が、前記収容凹部の深さ方向に沿って前記筐体から前記第１軸部が離反しないように規制する第１規制面を有し、
前記第２支持部が、前記第２軸部が前記収容凹部に対して近付く方向に移動しないように規制する第２規制面を有する電子機器。
【発明の詳細な説明】
【技術分野】
【０００１】
本発明は、筐体に設けられた収容凹部に電池が収容され、電池を収容した収容凹部を蓋部材で覆うように構成した電子機器に関する。
【背景技術】
【０００２】
電子機器は、通常、筐体と、筐体に収容された回路基板と、回路基板に実装されたコネクタと、筐体に設けられ、回路基板の一部およびコネクタの一部が収容されるコネクタ用の開口とを有する。筐体は、ケースおよびカバーを組み合わせることにより構成されている。
【０００３】
電子機器のなかには、筐体に電池パック収納部（以下、収容凹部という）が形成され、この収容凹部に電池パックが収納され、収容凹部を覆う電池蓋（以下、蓋部材という）の一端側に係止爪が形成されるとともに他端側にロックレバーが組み付けられたものがある。
このような電子機器によれば、収容凹部を蓋部材で覆う際に、蓋部材の係止爪を筐体側に係止した後、ロックレバーを操作して筐体側に係止する。これにより、収容凹部を覆った状態に蓋部材を筐体に保持することが可能である（例えば、特許文献１）。
【０００４】
また、図６に示すように、蓋部材１００を筐体１０１に対して着脱可能かつ回動可能に取り付ける場合がある。
この場合、筐体１０１に軸部１０２を一体成形で設け、蓋部材１００に一部開口１０４を有する軸受け部１０３を一体成形で設ける。そして、蓋部材１００の軸受け部１０３の開口１０４から筐体１０１の軸部１０２を挿入して、蓋部材１００を筐体１０１に対して回動させることにより、取り付ける。
【先行技術文献】
【特許文献】
【０００５】
【特許文献１】特許第４４２４４４５号公報（第３図）
【発明の概要】
【発明が解決しようとする課題】
【０００６】
しかしながら、図６に示したような従来の電子機器においては、蓋部材１００を筐体１０１に取り付ける際には、蓋部材１００の取付角度が所定の角度に限定され、その他の角度の場合には、蓋部材１００は筐体１０１から脱落しないようになっている。
このため、この取付角度以外の時に、蓋部材１００を無理に引っ張ったり、押したり、あるいは限界以上に蓋部材１００を回動させたりすると、軸部１０２および軸受け部１０３に過大な力が作用して、破損するおそれがあるという問題があった。
【０００７】
本発明は、従来の問題を解決するためになされたもので、樹脂製の軸部により回動可能に支持されている蓋部に、無理な押しつけ力や引っ張り力が作用した場合に、軸部の破損を防止できる電子機器を提供することを目的とする。
【課題を解決するための手段】
【０００８】
本発明の電子機器は、筐体と、前記筐体に設けられ、電池パックを収容する収容凹部と、前記収容凹部を覆う蓋部材と、前記筐体に対して前記蓋部材を回動させるためのヒンジ部と、を備え、前記ヒンジ部が、前記筐体に設けられた筐体側ヒンジ部と、前記蓋部材に設けられた蓋側ヒンジ部とを有し、前記蓋側ヒンジ部が、前記蓋部材に設けられて前記筐体側ヒンジ部に向かって延びる一対の腕部と、前記腕部に連結され、前記腕部の長手方向に対して直交するとともに、互いに近付く方向に突出する第１軸部および互いに離れる方向に突出する第２軸部とを有し、前記筐体側ヒンジ部が、前記第１軸部を支持する第１支持部と、前記第２軸部を支持する第２支持部とを有し、前記第１支持部が、前記収容凹部の深さ方向に沿って前記筐体から前記第１軸部が離反しないように規制する第１規制面を有し、前記第２支持部が、前記第２軸部が前記収容凹部に対して近付く方向に移動しないように規制する第２規制面を有するものである。
【発明の効果】
【０００９】
本発明の電子機器によれば、ヒンジ部の第１支持部の第１規制面は、第１軸部が収容凹部の深さ方向に沿って筐体から離反しないように規制する。また、ヒンジ部の第２支持部の第２規制面は、第２軸部が収容凹部に近付く方向への移動を規制する。このため、蓋部材を無理に押し付けたり、無理に引っ張ったりした際に、別の規制面が移動を規制するので、ヒンジ部が破損するのを防止できるという効果を有する電子機器を提供できる。
【図面の簡単な説明】
【００１０】
【図１】本発明に係る実施形態の電子機器において第１の蓋部材を取り外した状態を示す斜視図
【図２】ヒンジ部の拡大斜視図
【図３】ヒンジ部の分解斜視図
【図４】筐体側ヒンジ部および蓋側ヒンジ部における各部の寸法を示す説明図
【図５】（Ａ）〜（Ｃ）は第２蓋部材を取り付ける工程を示す斜視図
【図６】従来の電子機器の蓋における問題点を示す説明図
【発明を実施するための形態】
【００１１】
以下、本発明に係る実施形態の電子機器について、図面を用いて説明する。
図１に示すように、本発明に係る実施形態の電子機器１０は、例えば携帯端末であり、略矩形体状に形成された第１筐体（筐体）２０と、略矩形体状に形成された第２筐体１１と、第１筐体２０および第２筐体１１を開閉自在に連結する連結部（図示省略）とを有する。
従って、この電子機器１０は、連結部を中心として相対的に回動することにより第１筐体２０および第２筐体１１が互いに重なり合う携帯状態（図１参照）と、連結部を中心として相対的に回動することにより第１筐体２０および第２筐体１１が互いに離れる方向に展開された展開状態とを取り得る。
【００１２】
第１筐体２０は、下面（図１において下面）が開口した薄型矩形箱状のケース２１と、ケース２１の開口を塞ぐカバー２２を有し、カバー２２の表面（図１において下面）には操作キー等を備えた操作部が設けられている。
また、第２筐体１１は矩形箱状をしており、表面（図１において下面）には、液晶表示板からなる表示部が設けられている。
【００１３】
第１筐体２０のケース２１の底面（図１においては上面）２１１における長手方向の一方の側には、電池パック２３を収容する収容凹部２４が設けられている。収納凹部２４には、外側（ケース２１の外部側）に第１蓋部材２５が設けられ、第１蓋部材２５の内側（ケース２１の内部側）に蓋部材としての第２蓋部材２６が設けられている。
第１蓋部材２５は、第１筐体２０の長手方向にスライドさせることにより、着脱可能に取り付けられる。
【００１４】
第２蓋部材２６は、収容凹部２４を防水して電池パック２３を水から保護するための部材であり、ヒンジ部３０を介して第１筐体２０に対して回動可能に設けられている。第２蓋部材２６は矩形板状の部材であり、外周縁に沿ってパッキン２７が取り付けられている。パッキン２７は収容凹部２４の開口を全周にわたって密閉する。
ヒンジ部３０は、第１筐体２０に設けられた筐体側ヒンジ部３１と、第２蓋部材２６に設けられた蓋側ヒンジ部３２とを有する。
【００１５】
図２および図３に示すように、蓋側ヒンジ部３２は、第２蓋部材２６に植設されて筐体側ヒンジ部３１に向かって延びる一対の腕部３３、３３を有する。また、腕部３３には、腕部３３の長手方向に対して直交するとともに互いに近付く方向に突出する第１軸部３４、３４と、互いに離れる方向に突出する第２軸部３５、３５とが設けられている。
一対の第１軸部３４、３４は、一対の腕部３３、３３の間隔の中心を通って第１筐体２０の長手方向に延びる面（以後、「中心面ＣＰ」という。図４参照）に対して対称に設けられている。また、一対の第２軸部３５、３５も、中心面ＣＰに対して対称位置に設けられている。
【００１６】
一方、筐体側ヒンジ部３１は、蓋側ヒンジ部３２の一対の第１軸部３４、３４を支持する第１支持部３６と、一対の第２軸部３５、３５を支持する一対の第２支持部３７、３７とを有する。
第１支持部３６は、収容凹部２４の深さ方向（図２および図３において上下方向）に沿って第１筐体２０から一対の第１軸部３４、３４が離反しないように規制する一対の第１規制面３８、３８を有する。
一対の第２支持部３７、３７は、各々第２軸部３５が収容凹部２４に近付く方向（図２および図３において左下方向）に移動しないように規制する第２規制面３９を有する。また、第２支持部３７の前面（収容凹部２４側）には、後方に向かって上昇する斜面３７２が設けられている。
【００１７】
第１支持部３６は中心面ＣＰを中心に設けられており、中心面ＣＰに対して対称に第１規制面３８が設けられている。従って、第１支持部３６は、Ｔ字形状となっている。
また、一対の第２支持部３７、３７は、中心面ＣＰに対して対称位置に設けられており、一対の第２規制面３９、３９も中心面ＣＰに対して対称位置に設けられている。
【００１８】
図４に示すように、蓋側ヒンジ部３２において、腕部３３の幅をＢＡ１、第１軸部３４の突出量をＢＡ２、第２軸部３５の突出量をＢＡ３、全幅をＢＡとする。
また、筐体側ヒンジ部３１において、第１規制面３８の突出量をＢＢ１、第２規制面３９の幅をＢＢ２、第１支持部３６と第２支持部３７との間隔をＢＢ３、全幅をＢＢとする。なお、第１支持部３６の上面３６１と、第２支持部３７の上面３７１の高さは同一である。
【００１９】
蓋側ヒンジ部３２の全幅ＢＡは、少なくとも筐体側ヒンジ部３１の全幅ＢＢよりも小さい（ＢＡ＜ＢＢ）。腕部３３の幅ＢＡ１は、第１支持部３６と第２支持部３７との間隔ＢＢ３よりも小さい（ＢＡ１＜ＢＢ３）。第１軸部３４の突出量ＢＡ２は、第１規制面３８の突出量ＢＢ１より小さい（ＢＡ２＜ＢＢ１）。そして、第２軸部３５の突出量ＢＡ３は、第２規制面３９の幅ＢＢ２より小さい（ＢＡ３＜ＢＢ２）。
【００２０】
次に、第２蓋部材２６の取り付け方について説明する。
まず、図５（Ａ）に示すように、蓋側ヒンジ部３２の腕部３３が、筐体側ヒンジ部３１の第１支持部３６と第２支持部３７との間の前方に位置するように位置決めする。
次いで、図５（Ｂ）に示すように、第２蓋部材２６を筐体側ヒンジ部３１に近付けて、第２軸部３５を第２支持部３７の斜面３７２に沿って上昇させながら、第１軸部３４を第１支持部３６の第１規制面３８の下方へ挿入する。
【００２１】
このとき、第２軸部３５側のみが上昇させられるので、腕部３３が若干ねじられており、第２軸部３５が第２支持部３７の上面３７１を乗り越えたときに、腕部３３の弾性力により、第２軸部３５は第２規制面３９の後方（収容凹部２４の反対側）に下降する（図５（Ｃ）参照）。
これにより、第１軸部３４が第１規制面３８の下方に位置決めされるとともに、第２軸部３５が第２規制面３９の後方に位置決めされるので、第２蓋部材２６は第１筐体２０に回動可能に取り付けられる。
【００２２】
以上、説明した本発明に係る実施形態の電子機器１０によれば、蓋側ヒンジ部３２の第１軸部３４および第２軸部３５が、それぞれ筐体側ヒンジ部３１の第１支持部３６および第２支持部３７に支持されることにより、第２蓋部材２６は第１筐体２０に回動可能に取り付けられる。
このとき、筐体側ヒンジ部３１の第１支持部３６の第１規制面３８は、蓋側ヒンジ部３２の第１軸部３４が収容凹部２４の深さ方向に沿って第１筐体２０から離反しないように規制する。また、第２支持部３７の第２規制面３９は、第２軸部３５が収容凹部２４に近付く方向への移動を規制する。
このため、第２蓋部材２６を無理に押し付けたり、無理に引っ張ったりする力が作用した際に、別の規制面３８、３９が移動を規制するので、ヒンジ部３０が破損するのを防止できる。
【００２３】
また、筐体側ヒンジ部３１および蓋側ヒンジ部３２を、中心面ＣＰに対して対称形状に形成したので、着脱の際に偏った力が作用するのを防止でき、ヒンジ部３０の破損を防止できる。
【００２４】
なお、本発明の電子機器は、前述した実施形態に限定されるものでなく、適宜な変形，改良等が可能である。
例えば、前述した実施形態においては、第１蓋部材２５および第２蓋部材２６からなる二重蓋構造の場合を例示したが、１枚の蓋を有する場合でも同様に適用可能である。
【産業上の利用可能性】
【００２５】
以上のように、本発明にかかる電子機器では、ヒンジ部の第１支持部の第１規制面は、第１軸部が収容凹部の深さ方向に沿って筐体から離反しないように規制する。また、ヒンジ部の第２支持部の第２規制面は、第２軸部が収容凹部に近付く方向への移動を規制する。このため、蓋部材を無理に押し付けたり、無理に引っ張ったりした際に、別の規制面が移動を規制するので、ヒンジ部が破損するのを防止できるという効果を有し、筐体に設けられた収容凹部に電池が収容され、電池を収容した収容凹部を蓋部材で覆うように構成した電子機器等として有用である。
【符号の説明】
【００２６】
１０  電子機器
２０  第１筐体（筐体）
２３  電池パック
２４  収容凹部
２６  第２蓋部材（蓋部材）
３０  ヒンジ部
３１  筐体側ヒンジ部
３２  蓋側ヒンジ部
３３  腕部
３４  第１軸部
３５  第２軸部
３６  第１支持部
３７  第２支持部
３８  第１規制面
３９  第２規制面
【図１】
2012199102.tif 000003
【図２】
2012199102.tif 000004
【図３】
2012199102.tif 000005
【図４】
2012199102.tif 000006
【図５】
2012199102.tif 000007
【図６】
2012199102.tif 000008